(57)【要約】【課題】ユーザが仰向けから横臥になったことを判断すると、肩部にかかる荷重を自動的に軽減させる健康ベッドの能動的に肩部を支持する装置及びその方法を提供する。【解決手段】健康ベッドの能動的に肩部を支持する装置は、ベッドマットレス１、肩部エアバッグセット２２、エアチューブセット３、給排気装置５、圧力センサセット８及び制御装置７を備える。ベッドマットレス１は、複数の貫通孔１２３が設けられたマット１２を内部に有する。肩部エアバッグセット２２は、ベッドマットレス１のマット１２の頂面で、ユーザの頭部の位置に近い箇所に配置され、給排気孔が設けられて気体が充満された複数のエアバッグＳ３〜５を有する。エアチューブセット３は、肩部エアバッグセット２２のエアバッグＳ３〜５それぞれの給排気孔に接続された一方の端部と、マット１２の貫通孔に貫設された他方の端部とをそれぞれ有する複数のエアチューブ３１を有する。【選択図】図１
2011255175.tif 000002
【特許請求の範囲】
【請求項１】
ベッドマットレス、肩部エアバッグセット、エアチューブセット、給排気装置、圧力センサセット及び制御装置を備える健康ベッドの能動的に肩部を支持する装置であって、
前記ベッドマットレスは、複数の貫通孔が設けられたマットを内部に有し、
前記肩部エアバッグセットは、前記ベッドマットレスの前記マットの頂面で、ユーザの頭部の位置に近い箇所に配置され、給排気孔が設けられて気体が充満された複数のエアバッグを有し、
前記エアチューブセットは、前記肩部エアバッグセットの前記エアバッグそれぞれの前記給排気孔に接続された一方の端部と、前記マットの前記貫通孔に貫設された他方の端部と、をそれぞれ有する複数のエアチューブを有し、
前記給排気装置には、制御スイッチと電気的に接続された複数の排気口が設けられ、前記制御スイッチは、前記エアチューブセットの前記エアチューブに接続され、
前記圧力センサセットは、前記肩部エアバッグセットの前記エアバッグ内の圧力値を検知する複数の圧力センサを有し、
前記制御装置は、前記給排気装置と、前記制御スイッチと、前記圧力センサセットの前記圧力センサと、電気的にそれぞれ接続され、
前記制御装置は、前記肩部エアバッグセットそれぞれの前記エアバッグの圧力が上昇したことを示す信号を前記圧力センサから受信すると、ユーザが仰向けから横臥の姿勢になったと判断し、肩部により押圧された前記エアバッグの圧力値が最も高くなると、前記制御スイッチをオンし、前記給排気装置により前記肩部エアバッグセットそれぞれの前記エアバッグの圧力値を所定の設定値まで下げることを特徴とする健康ベッドの能動的に肩部を支持する装置。
【請求項２】
前記エアチューブが接続された第１のポートと、前記制御スイッチが接続された第２のポートと、前記エアバッグ内の圧力値を検知する前記圧力センサが接続された第３のポートと、を有する三方管をさらに備えることを特徴とする請求項１に記載の健康ベッドの能動的に肩部を支持する装置。
【請求項３】
前記制御装置は、入力インタフェースを有するパーソナルコンピュータ、ノート型パソコン又はパーソナルデジタルアシスタントであることを特徴とする請求項１に記載の健康ベッドの能動的に肩部を支持する装置。
【請求項４】
ベッドマットレス、頭部エアバッグセット、肩部エアバッグセット、エアチューブセット、給排気装置、圧力センサセット及び制御装置を備える健康ベッドの能動的に肩部を支持する装置であって、
前記ベッドマットレスは、複数の貫通孔が設けられたマットを内部に有し、
前記頭部エアバッグセットは、前記ベッドマットレスの前記マットの頂面で、ユーザの頭部の位置に近い箇所に配置され、給排気孔がそれぞれに設けられ、気体が充填されていない複数のエアバッグを有し、
前記肩部エアバッグセットは、前記ベッドマットレスの前記マットの頂面で、ユーザの頭部の位置に近い箇所に配置され、前記給排気孔がそれぞれに設けられ、前記頭部エアバッグセットに対して平行に配列され、気体が充満された複数のエアバッグを有し、
前記エアチューブセットは、前記頭部エアバッグセット及び前記肩部エアバッグセットの前記エアバッグそれぞれの前記給排気孔に接続された一方の端部と、前記マットの前記貫通孔に貫設された他方の端部と、をそれぞれ有する複数のエアチューブを有し、
前記給排気装置は、制御スイッチと電気的に接続された複数の排気口が設けられ、前記制御スイッチは、前記エアチューブセットの前記エアチューブに接続され、
前記圧力センサセットは、前記頭部エアバッグセット及び前記肩部エアバッグセットの前記エアバッグ内の圧力値をそれぞれ検知する複数の圧力センサを有し、
前記制御装置は、前記給排気装置と、前記制御スイッチと、前記圧力センサセットの前記圧力センサと、電気的にそれぞれ接続され、
前記制御装置は、前記肩部エアバッグセットそれぞれの前記エアバッグの圧力が上昇したことを示す信号を前記圧力センサから受信すると、ユーザが仰向けから横臥の姿勢になったと判断し、肩部により押圧された前記エアバッグの圧力値が最も高くなったことを検知すると、前記制御スイッチをオンし、前記給排気装置により前記頭部エアバッグセットに対して給気を行って圧力値を設定値まで上昇させ、前記肩部エアバッグセットそれぞれの前記エアバッグの圧力値を所定の設定値に下げることを特徴とする健康ベッドの能動的に肩部を支持する装置。
【請求項５】
前記ベッドマットレスの前記マットは、前端部の頂面に設けられた階段状の上収納空間と、底面に設けられた下収納空間と、を有し、
前記上収納空間と前記下収納空間との間に、前記貫通孔が設けられ、
前記頭部エアバッグセットは、前記上収納空間内の階段状の高い位置に配置され、
前記肩部エアバッグセットは、前記上収納空間内の階段状の低い位置に配置されることを特徴とする請求項４に記載の健康ベッドの能動的に肩部を支持する装置。
【請求項６】
前記エアチューブが接続された第１のポートと、前記制御スイッチが接続された第２のポートと、前記エアバッグ内の圧力値を検知する前記圧力センサが接続された第３のポートと、を有する三方管をさらに備えることを特徴とする請求項４に記載の健康ベッドの能動的に肩部を支持する装置。
【請求項７】
前記制御装置は、入力インタフェースを有するパーソナルコンピュータ、ノート型パソコン又はパーソナルデジタルアシスタントであることを特徴とする請求項４に記載の健康ベッドの能動的に肩部を支持する装置。
【請求項８】
ベッドマットレスの頂面に近い箇所に、複数の独立したエアバッグを有する肩部エアバッグセットが配置され、前記エアバッグのそれぞれは１本のエアチューブを介して給排気装置の排気口上の制御スイッチに接続され、前記エアチューブのそれぞれは、圧力センサに接続され、前記圧力センサにより、前記エアバッグの内部圧力を検知し、その検知結果を制御装置に送信し、前記制御装置は、受信した信号に基づき、前記制御スイッチをオンしたりオフしたりし、前記給排気装置により前記エアバッグそれぞれに対して同時に又は個別に給気を行うステップ（１）と、
ユーザがベッドに仰向けになり、前記肩部エアバッグセットの前記エアバッグそれぞれの圧力値が略同じになると、前記制御装置は、前記肩部エアバッグセットそれぞれの前記エアバッグの圧力値が上昇したことを示す信号を前記圧力センサから受信し、前記ユーザが仰向けから横臥の姿勢になったと判断し、圧力が最も高く上昇した前記エアバッグは、肩部により押圧された前記エアバッグであると判断するステップ（２）と、
前記制御装置は、前記制御スイッチをオンし、前記肩部エアバッグセットの前記エアバッグそれぞれに対して排気を行い、前記エアバッグの圧力を所定の設定値に下げるステップ（３）と、
前記制御装置は、前記圧力センサが検知した前記肩部エアバッグセットの前記エアバッグの圧力が初期値に戻ったことを示す信号を前記圧力センサそれぞれから受信すると、前記ユーザが横臥から仰向けの姿勢になったと判断し、前記制御スイッチをオンし、前記給排気装置により、前記肩部エアバッグセットの各前記エアバッグに対して給気を行い、圧力を初期値に戻すステップ（４）と、を含むことを特徴とする健康ベッドの能動的に肩部を支持する方法。
【請求項９】
前記ベッドマットレス内の頂面に近い箇所に配置され、前記エアバッグそれぞれの圧力が略０であり、ユーザが横臥すると、前記制御装置が前記制御スイッチをオンし、前記給排気装置により前記頭部エアバッグセットの前記エアバッグそれぞれの内部圧力を所定の設定値まで上昇させる頭部エアバッグセットを更に備えることを特徴とする請求項８に記載の健康ベッドの能動的に肩部を支持する方法。
【発明の詳細な説明】
【技術分野】
【０００１】
本発明は、健康ベッドの能動的に肩部を支持する装置及びその方法（ｈｅａｌｔｈ  ｂｅｄ  ｄｅｖｉｃｅ  ｆｏｒ  ａｃｔｉｖｅｌｙ  ｓｕｐｐｏｒｔｉｎｇ  ｎｅｃｋ  ａｎｄ  ｓｈｏｕｌｄｅｒ  ａｎｄ  ｍｅｔｈｏｄ  ｔｈｅｒｅｏｆ）に関し、特に、圧力センサにより検知した各エアバッグ内の圧力値に基づき、ユーザが仰向けから横臥の姿勢になったことを判断し、肩部にかかる負荷を自動的に軽減させる健康ベッドの能動的に肩部を支持する装置及びその方法に関する。
【背景技術】
【０００２】
従来の健康ベッドは、形状記憶ベッド、エネルギーベッド（ｅｎｅｒｇｙ  ｂｅｄ）など様々なタイプがある。従来のベッドで使用されるマットレスの共通点は、ベッド内のスプリングにより、ユーザの体を受動的に支持することにあるが、実際には、スプリングが上から下方に押圧されるだけで、ユーザの体が支持されていないため、ユーザは眠りが妨げられて不眠症になる虞がある。
【０００３】
受動的に支持するベッドの欠点を解決するために、本出願人は、既に脊椎曲線に沿って体を支える技術を出願している（例えば、特許文献１〜４）。しかし特許文献１〜４では、ユーザが横臥の姿勢をとる際、肩部により体重を支えるため、横臥の姿勢を長時間とった場合、肩部により体重を支えられなくなったり、手がしびれたり、肩がこったり、寝違えたりする虞がある。
【先行技術文献】
【特許文献】
【０００４】
【特許文献１】国際特許出願ＰＣＴ／ＣＮ２００７／００２５８５号
【特許文献２】国際特許出願ＰＣＴ／ＣＮ２００７／００２６０２号
【特許文献３】国際特許出願ＰＣＴ／ＣＮ２００７／００２９５６号
【特許文献４】台湾実用新案登録出願第０９８２０９６７３号
【発明の概要】
【発明が解決しようとする課題】
【０００５】
本発明の主な目的は、肩部エアバッグセットのエアバッグの圧力が急激に上昇したことを検知し、ユーザが仰向けから横臥の姿勢をとったと判断すると、上昇したエアバッグの圧力を自動的に所定の設定値まで下げ、肩部にかかる負荷を軽減させる健康ベッドの能動的に肩部を支持する装置及びその方法を提供することにある。
本発明のもう一つの目的は、ユーザが横臥の姿勢をとるとき、空気が充填されていない頭部エアバッグセットのエアバッグに対して設定値になるまで給気を行い、肩部を下げて頭部を上げることにより、肩部にかかる負荷を軽減させる健康ベッドの能動的に肩部を支持する装置及びその方法を提供することにある。
【課題を解決するための手段】
【０００６】
上記課題を解決するために、ベッドマットレス、肩部エアバッグセット、エアチューブセット、給排気装置、圧力センサセット及び制御装置を備える健康ベッドの能動的に肩部を支持する装置であって、前記ベッドマットレスは、複数の貫通孔が設けられたマットを内部に有し、前記肩部エアバッグセットは、前記ベッドマットレスの前記マットの頂面で、ユーザの頭部の位置に近い箇所に配置され、給排気孔が設けられて気体が充満された複数のエアバッグを有し、前記エアチューブセットは、前記肩部エアバッグセットの前記エアバッグそれぞれの前記給排気孔に接続された一方の端部と、前記マットの前記貫通孔に貫設された他方の端部と、をそれぞれ有する複数のエアチューブを有し、前記給排気装置には、制御スイッチと電気的に接続された複数の排気口が設けられ、前記制御スイッチは、前記エアチューブセットの前記エアチューブに接続され、前記圧力センサセットは、前記肩部エアバッグセットの前記エアバッグ内の圧力値を検知する複数の圧力センサを有し、前記制御装置は、前記給排気装置と、前記制御スイッチと、前記圧力センサセットの前記圧力センサと、電気的にそれぞれ接続され、前記制御装置は、前記肩部エアバッグセットそれぞれの前記エアバッグの圧力が上昇したことを示す信号を前記圧力センサから受信すると、ユーザが仰向けから横臥の姿勢になったと判断し、肩部により押圧された前記エアバッグの圧力値が最も高くなると、前記制御スイッチをオンし、前記給排気装置により前記肩部エアバッグセットそれぞれの前記エアバッグの圧力値を所定の設定値まで下げることを特徴とする健康ベッドの能動的に肩部を支持する装置が提供される。
【０００７】
前記エアチューブが接続された第１のポートと、前記制御スイッチが接続された第２のポートと、前記エアバッグ内の圧力値を検知する前記圧力センサが接続された第３のポートと、を有する三方管をさらに備えることが好ましい。
【０００８】
前記制御装置は、入力インタフェースを有するパーソナルコンピュータ、ノート型パソコン又はパーソナルデジタルアシスタントであることが好ましい。
【０００９】
上記課題を解決するために、ベッドマットレス、頭部エアバッグセット、肩部エアバッグセット、エアチューブセット、給排気装置、圧力センサセット及び制御装置を備える健康ベッドの能動的に肩部を支持する装置であって、前記ベッドマットレスは、複数の貫通孔が設けられたマットを内部に有し、前記頭部エアバッグセットは、前記ベッドマットレスの前記マットの頂面で、ユーザの頭部の位置に近い箇所に配置され、給排気孔がそれぞれに設けられ、気体が充填されていない複数のエアバッグを有し、前記肩部エアバッグセットは、前記ベッドマットレスの前記マットの頂面で、ユーザの頭部の位置に近い箇所に配置され、前記給排気孔がそれぞれに設けられ、前記頭部エアバッグセットに対して平行に配列され、気体が充満された複数のエアバッグを有し、前記エアチューブセットは、前記頭部エアバッグセット及び前記肩部エアバッグセットの前記エアバッグそれぞれの前記給排気孔に接続された一方の端部と、前記マットの前記貫通孔に貫設された他方の端部と、をそれぞれ有する複数のエアチューブを有し、前記給排気装置は、制御スイッチと電気的に接続された複数の排気口が設けられ、前記制御スイッチは、前記エアチューブセットの前記エアチューブに接続され、前記圧力センサセットは、前記頭部エアバッグセット及び前記肩部エアバッグセットの前記エアバッグ内の圧力値をそれぞれ検知する複数の圧力センサを有し、前記制御装置は、前記給排気装置と、前記制御スイッチと、前記圧力センサセットの前記圧力センサと、電気的にそれぞれ接続され、前記制御装置は、前記肩部エアバッグセットそれぞれの前記エアバッグの圧力が上昇したことを示す信号を前記圧力センサから受信すると、ユーザが仰向けから横臥の姿勢になったと判断し、肩部により押圧された前記エアバッグの圧力値が最も高くなったことを検知すると、前記制御スイッチをオンし、前記給排気装置により前記頭部エアバッグセットに対して給気を行って圧力値を設定値まで上昇させ、前記肩部エアバッグセットそれぞれの前記エアバッグの圧力値を所定の設定値に下げることを特徴とする健康ベッドの能動的に肩部を支持する装置が提供される。
【００１０】
前記ベッドマットレスの前記マットは、前端部の頂面に設けられた階段状の上収納空間と、底面に設けられた下収納空間と、を有し、前記上収納空間と前記下収納空間との間に、前記貫通孔が設けられ、前記頭部エアバッグセットは、前記上収納空間内の階段状の高い位置に配置され、前記肩部エアバッグセットは、前記上収納空間内の階段状の低い位置に配置されることが好ましい。
【００１１】
前記エアチューブが接続された第１のポートと、前記制御スイッチが接続された第２のポートと、前記エアバッグ内の圧力値を検知する前記圧力センサが接続された第３のポートと、を有する三方管をさらに備えることが好ましい。
【００１２】
前記制御装置は、入力インタフェースを有するパーソナルコンピュータ、ノート型パソコン又はパーソナルデジタルアシスタントであることが好ましい。
【００１３】
上記課題を解決するために、ベッドマットレスの頂面に近い箇所に、複数の独立したエアバッグを有する肩部エアバッグセットが配置され、前記エアバッグのそれぞれは１本のエアチューブを介して給排気装置の排気口上の制御スイッチに接続され、前記エアチューブのそれぞれは、圧力センサに接続され、前記圧力センサにより、前記エアバッグの内部圧力を検知し、その検知結果を制御装置に送信し、前記制御装置は、受信した信号に基づき、前記制御スイッチをオンしたりオフしたりし、前記給排気装置により前記エアバッグそれぞれに対して同時に又は個別に給気を行うステップ（１）と、ユーザがベッドに仰向けになり、前記肩部エアバッグセットの前記エアバッグそれぞれの圧力値が略同じになると、前記制御装置は、前記肩部エアバッグセットそれぞれの前記エアバッグの圧力値が上昇したことを示す信号を前記圧力センサから受信し、前記ユーザが仰向けから横臥の姿勢になったと判断し、圧力が最も高く上昇した前記エアバッグは、肩部により押圧された前記エアバッグであると判断するステップ（２）と、前記制御装置は、前記制御スイッチをオンし、前記肩部エアバッグセットの前記エアバッグそれぞれに対して排気を行い、前記エアバッグの圧力を所定の設定値に下げるステップ（３）と、前記制御装置は、前記圧力センサが検知した前記肩部エアバッグセットの前記エアバッグの圧力が初期値に戻ったことを示す信号を前記圧力センサそれぞれから受信すると、前記ユーザが横臥から仰向けの姿勢になったと判断し、前記制御スイッチをオンし、前記給排気装置により、前記肩部エアバッグセットの各前記エアバッグに対して給気を行い、圧力を初期値に戻すステップ（４）と、を含むことを特徴とする健康ベッドの能動的に肩部を支持する方法が提供される。
【００１４】
前記ベッドマットレス内の頂面に近い箇所に配置され、前記エアバッグそれぞれの圧力が略０であり、ユーザが横臥すると、前記制御装置が前記制御スイッチをオンし、前記給排気装置により前記頭部エアバッグセットの前記エアバッグそれぞれの内部圧力を所定の設定値まで上昇させる頭部エアバッグセットを更に備えることが好ましい
【発明の効果】
【００１５】
本発明の健康ベッドの能動的に肩部を支持する装置及びその方法は、特許文献１〜４及びその他の従来の製品と比較し、以下の効果を有する。
（１）肩部エアバッグセットのエアバッグの圧力が急激に上昇したことを検知し、ユーザの姿勢が仰向けから横臥になったと判断すると、上昇したエアバッグの圧力を自動的に所定の設定値まで下げ、肩部にかかる負荷を軽減することができる。
（２）ユーザが横臥の姿勢をとるとき、空気が充填されていない頭部エアバッグセットのエアバッグに対して所定の設定値になるまで給気を行い、肩部が下がって頭部が上がるため、肩部にかかる負荷を軽減させることができる。
【図面の簡単な説明】
【００１６】
【図１】本発明の一実施形態による健康ベッドの能動的に肩部を支持する装置を示す断面図である。
【図２】本発明の一実施形態による健康ベッドの能動的に肩部を支持する装置を示す構造図である。
【図３Ａ】本発明の一実施形態による健康ベッドの能動的に肩部を支持する装置を実際に使用するときの状態を示す断面図である。
【図３Ｂ】本発明の一実施形態による健康ベッドの能動的に肩部を支持する装置を実際に使用するときの状態を示す断面図である。
【図４Ａ】本発明の一実施形態による健康ベッドの能動的に肩部を支持する装置を実際に使用するときのエアバッグの内部圧力を示すグラフである。
【図４Ｂ】本発明の一実施形態による健康ベッドの能動的に肩部を支持する装置を実際に使用するときのエアバッグの内部圧力を示すグラフである。
【図４Ｃ】本発明の一実施形態による健康ベッドの能動的に肩部を支持する装置を実際に使用するときのエアバッグの内部圧力を示すグラフである。
【発明を実施するための形態】
【００１７】
以下、本発明の実施形態について図に基づいて説明する。なお、これによって本発明が限定されるものではない。
【実施例】
【００１８】
図１及び図２を参照する。図１及び図２に示すように、本発明の一実施形態による健康ベッドの能動的に肩部を支持する装置は、少なくともベッドマットレス１、頭部エアバッグセット２１、肩部エアバッグセット２２、エアチューブセット３、給排気装置５、圧力センサセット８及び制御装置７から構成される。
【００１９】
ベッドマットレス１は、開口部１１が底面に設けられ、マット１２を内部に有する。マット１２は、前端部に近い頂面に、階段状の上収納空間１２１が設けられ、下収納空間１２２が底面に設けられている。上収納空間１２１と下収納空間１２２との間には、複数の貫通孔１２３が設けられている。マット１２は、スポンジ、ポケットスプリング（ｐｏｃｋｅｔ  ｓｐｒｉｎｇ）、形状記憶発泡体、可撓性材料（ｆｌｅｘｉｂｌｅ  ｍａｔｅｒｉａｌ）又は各種発泡材でもよい。上収納空間１２１及び下収納空間１２２は、ベッドマットレス１の頭部近くに設けられている。
【００２０】
頭部エアバッグセット２１は、最上層２１１及び複数のエアバッグＳ１，Ｓ２を有する。複数のエアバッグＳ１，Ｓ２は、最上層２１１の表面に等間隔で配列されている。各エアバッグＳ１，Ｓ２には、給排気孔（図示せず）が設けられている。頭部エアバッグセット２１は、マット１２の上収納空間１２１の階段状の高い位置に配置されている。エアバッグＳ１，Ｓ２は、気体が充填されていない状態である。
【００２１】
肩部エアバッグセット２２は、最上層２２１及び複数のエアバッグＳ３〜Ｓ５を有する。複数のエアバッグＳ３〜Ｓ５は、最上層２２１の表面に等間隔で配列されている。各エアバッグＳ３〜Ｓ５には、給排気孔（図示せず）が設けられている。肩部エアバッグセット２２は、マット１２の上収納空間１２１の階段状の低い位置に配置されている。エアバッグＳ３〜Ｓ５は、気体が充満した状態であり、このときの各エアバッグＳ３〜Ｓ５の高さは、上収納空間１２１の高さに略等しい。このため、ベッドマットレス１のベッド面は、肩部エアバッグセット２２の気体が充満されたときに膨出することを防ぐことができる。
【００２２】
エアチューブセット３は、複数のエアチューブ３１を有する。各エアチューブ３１は、頭部エアバッグセット２１及び肩部エアバッグセット２２の各エアバッグＳ１〜Ｓ５の給排気孔に接続された一方の端部と、マット１２の貫通孔１２３に貫設されて下収納空間１２２を通り、ベッドマットレス１の底面に設けられた開口部１１から露出された他方の端部と、を有する。露出されたエアチューブ３１の端部は、三方管（ｔｈｒｅｅ−ｗａｙ  ｔｕｂｅ）４の第１のポート４１に接続される。
【００２３】
給排気装置５は、複数の排気口（図示せず）を有する。各排気口は、制御スイッチ６と電気的に接続されている（図２参照）。制御スイッチ６は、三方管４の第２のポート４２に接続され、給排気装置５は、頭部エアバッグセット２１及び肩部エアバッグセット２２それぞれのエアバッグＳ１〜Ｓ５の給気及び排気を行うために用いる。
【００２４】
圧力センサセット８は、複数の圧力センサ８１を有する。この圧力センサ８１は、三方管４の第３のポート４３に接続され、頭部エアバッグセット２１及び肩部エアバッグセット２２の各エアバッグＳ１〜Ｓ５の内部圧力を検知するために用いる。
【００２５】
制御装置７は、給排気装置５と、制御スイッチ６と、圧力センサセット８の圧力センサ８１と電気的にそれぞれ接続されている。制御装置７は、圧力センサ８１が検知した圧力信号に基づき、制御スイッチ６のオン・オフを行い、給排気装置５により、頭部エアバッグセット２１及び肩部エアバッグセット２２のエアバッグＳ１〜Ｓ５に対して給気を行ったり排気を行ったりする。制御装置７は、パーソナルコンピュータ、ノート型パソコン、パーソナルデジタルアシスタント、又はスクリーンもしくは入力インタフェースを有するその他の電子製品でもよい。入力インタフェースは、つまみ、押しボタン、タッチパネル又はリモコン装置でもよい。
【００２６】
上述のベッドマットレス１のマット１２の頂面は、上層パッド１３により被覆され、エアクッション層２を挟持し位置決めすることができる。これにより、横たわるユーザの快適度を高めることができる。上層パッド１３は、形状記憶発泡体、ラテックスパッド（ｌａｔｅｘ  ｐａｄ）、各種発泡材、可撓性材料（ｆｌｅｘｉｂｌｅ  ｍａｔｅｒｉａｌ）などからなってもよい。
【００２７】
給排気装置５をベッドマットレス１に内蔵する場合、エアチューブセット３の各エアチューブ３１は、ベッドマットレス１の外側に露出されなくなる。
【００２８】
図２、図３Ａ、図３Ｂ、図４Ａ〜Ｃを参照する。図２、図３Ａ、図３Ｂ、図４Ａ〜Ｃに示すように、ユーザ９が、ベッドマットレス１のベッド面上で仰向きの姿勢をとるとき、ユーザ９の頭部は、頭部エアバッグセット２１のエアバッグＳ１，Ｓ２に対応した箇所に位置し、頸部及び肩部は、肩部エアバッグセット２２のエアバッグＳ３〜Ｓ５に対応した箇所に位置する。このときの頭部エアバッグセット２１のエアバッグＳ１，Ｓ２は、気体が充填されていない状態であり、肩部エアバッグセット２２のエアバッグＳ３〜Ｓ５は、気体が充満している状態である。ベッドマットレス１のベッド面で、ユーザ９が仰向けの姿勢をとるとき、ユーザ９の体重は、背部により支えられる。この際、圧力センサ８１が検知する肩部エアバッグセット２２の各エアバッグＳ３〜Ｓ５の内部圧力は、それぞれ略同じである。図４Ａに示すように、頭部エアバッグセット２１のエアバッグＳ１，Ｓ２の圧力は略０である。肩部エアバッグセット２２のエアバッグＳ３〜Ｓ５の圧力は、１ｋｇ／ｃｍ2である。ユーザ９が、仰向けから横臥の姿勢をとるとき、背部により支えられていた体重は、肩部により支えられるようになる。これにより、肩部エアバッグセット２２の各エアバッグＳ３〜Ｓ５の圧力が上昇し、特に、肩部に位置するエアバッグＳ４の圧力が最も大幅に上昇したことを圧力センサ８１が検知する。この際、圧力センサ８１は、ユーザ９の姿勢が仰向けから横臥になったことを検知することができる以外に、肩部によりエアバッグＳ４を下に押圧したことを検知することができる。図３Ａ及び図４Ｂに示すように、肩部エアバッグセット２２のエアバッグＳ３，Ｓ５の圧力が１．５ｋｇ／ｃｍ2まで上昇し、エアバッグＳ４の圧力が２ｋｇ／ｃｍ2に上昇すると、肩部によりエアバッグＳ４が押圧されたと判断することができる。制御装置７は、圧力センサ８１により検知された圧力を受信すると、制御スイッチ６をオンし、給排気装置５により肩部エアバッグセット２２のエアバッグＳ３〜Ｓ５の排気を行う。エアバッグＳ３〜Ｓ５の内部圧力が所定の設定値まで下がると、制御スイッチ６をオフする。同様に、制御装置７が制御スイッチ６をオンすると、給排気装置５は、頭部エアバッグセット２１のエアバッグＳ１，Ｓ２に対して給気を行い、エアバッグＳ１，Ｓ２の圧力を所定の設定値まで上昇させると、制御スイッチ６をオフする。図３Ｂ及び図４Ｃに示すように、肩部エアバッグセット２２のエアバッグＳ３，Ｓ５の圧力が１ｋｇ／ｃｍ2に下がり、エアバッグＳ４の圧力が１．５ｋｇ／ｃｍ2に下がり、頭部エアバッグセット２１のエアバッグＳ１，Ｓ２により、０．５ｋｇ／ｃｍ2になるまで給気される。これにより、ユーザは、肩部が下がって頭部が上がるため、横臥の姿勢を快適にとることができる。
【００２９】
図４Ａ〜図４Ｃを参照する。図４Ａ〜図４Ｃに示す圧力値は、本発明の技術特徴を表す好適な実施形態の一態様であり、本発明の特許請求の範囲を何ら制限するものではない。
【００３０】
ユーザ９は、頭部エアバッグセット２１の圧力上昇又は肩部エアバッグセット２２の圧力降下が足りないと感じた場合、制御装置７の入力インタフェースにより、各エアバッグＳ１〜Ｓ５に対して給気量又は排気量を調整することができる。
【００３１】
制御装置７は、肩部エアバッグセット２２のエアバッグＳ３〜Ｓ５の圧力が初期値に回復したことを示す信号を圧力センサ８１から受信すると、ユーザ９が横臥から仰向けの姿勢になったと判断し、制御スイッチ６をオンする。これにより、給排気装置５は、頭部エアバッグセット２１のエアバッグＳ１，Ｓ２に対して排気を行って完全に放圧し、肩部エアバッグセット２２の各エアバッグＳ３〜Ｓ５に対し、圧力が初期値に回復するまで給気を行う。
【００３２】
上述したことから分かるように、本発明の健康ベッドの能動的に肩部を支持する装置及びその方法は、特許文献１〜４及びその他の従来の製品と比較した場合、以下（１）及び（２）の効果を有する。
（１）肩部エアバッグセットのエアバッグの圧力が急激に上昇したことを検知し、ユーザの姿勢が仰向けから横臥になったと判断したときに、上昇したエアバッグの圧力を自動的に所定の設定値まで下げ、肩部にかかる負荷を軽減させることができる。
（２）ユーザが横臥の姿勢になるとき、空気が充填されていない頭部エアバッグセットのエアバッグに対して所定の設定値になるまで給気を行い、肩部を下げて頭部を上げることにより、肩部にかかる負荷を軽減させることができる。
【００３３】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３４】
１      ベッドマットレス
３      エアチューブセット
４      三方管
５      給排気装置
６      制御スイッチ
７      制御装置
８      圧力センサセット
９      ユーザ
１１    開口部
１２    マット
１３    上層パッド
２１    頭部エアバッグセット
２２    肩部エアバッグセット
３１    エアチューブ
４１    第１のポート
４２    第２のポート
４３    第３のポート
８１    圧力センサ
１２１  上収納空間
１２２  下収納空間
１２３  貫通孔
２１１  最上層
２２１  最上層
Ｓ１    エアバッグ
Ｓ２    エアバッグ
Ｓ３    エアバッグ
Ｓ４    エアバッグ
Ｓ５    エアバッグ
【図１】
2011255175.tif 000003
【図２】
2011255175.tif 000004
【図３Ａ】
2011255175.tif 000005
【図３Ｂ】
2011255175.tif 000006
【図４Ａ】
2011255175.tif 000007
【図４Ｂ】
2011255175.tif 000008
【図４Ｃ】
2011255175.tif 000009